(57)【特許請求の範囲】
【請求項１】
立方体形状に枠組みされた支持枠の内側に、上部開口の周辺が支持枠に支持された可撓性材料よりなる穀類容器を吊設し、この穀類容器を構成する前壁下半部に漏斗構造をした先端に排出口をもつ排出部材を設け、一方、穀類容器の下底部を、前端縁部が支持枠に上下回動可能に軸支され、かつ、穀類容器内に投入される穀類の重量により順次下降変位して穀類の収容容積を増し、穀類の排出回収作業により順次上昇変位して穀類の容積量を減じるべく常に上昇付勢された底部昇降手段上に乗載せしめた穀類搬送用容器において、穀類容器の底部昇降手段の後部に、穀類容器の底部上昇により生ずる少なくとも穀類容器後壁のたるみを吸収消去する突き上げ手段を設けたことを特徴とする穀類搬送用容器。
【請求項２】
請求項１記載の穀類搬送用容器において、穀類容器を構成する後壁下部を穀類容器の底部昇降手段の後端部に設けた枠杆に連結し、空袋時における後壁の変形形崩れ及び穀類投入時における底壁のズレ落ちを防止せしめるようにしたことを特徴とする穀類搬送用容器。
【請求項３】
請求項１又は２記載の穀類搬送用容器において、漏斗構造をした排出部材の穀類排出流動基部を、穀類容器の前壁下半部略全域にわたって形成するとともに、排出部材を比較的長大に構成して折りたたみ格納可能とし、一方、支持枠の前部に、穀類の回収搬送時に折りたたみ姿勢の排出部材を維持し、穀類の排出時に排出部材の下向き排出姿勢を維持するガイド板を起伏可能に設けたことを特徴とする穀類搬送用容器。
【請求項４】
請求項１〜３の何れかに記載の穀類搬送用容器において、穀類容器を構成する少なくとも両側壁及び前壁上半部全域を、収容穀類の通過を許さないメッシュ構造としたことを特徴とする穀類搬送用容器。
【発明の詳細な説明】
【０００１】
【発明の属する技術分野】
本発明は、コンバインなどで収穫された穀類を作業処理場に輸送する穀類搬送用容器に係る技術分野に属する。
【０００２】
【従来の技術】
一般に、立方体形状に枠組みされた支持枠の内側に、上部開口の周辺が支持枠に支持された可撓性材料よりなる穀類容器を吊設し、この穀類容器の前壁下端部に穀類の排出口を設けるとともに、穀類容器の下底部を、前端縁部が支持枠に上下回動可能に軸支され、かつ、穀類容器内に投入される穀類の重量により順次下降変位して穀類容器の容積量を増し、穀類の排出により順次容積量を減じるべく常に上昇付勢された底部昇降手段上に乗載せる穀類搬送用容器は知られている。（例えば、実公平６−４９１６８号公報及び登録実用新案第３０１１１８１号公報参照）
【０００３】
【発明が解決しようとする課題】
このような搬送容器によれば、コイルスプリングの作用により、穀類容器内に投入される穀類の重量で穀類容器が順次下降変形して容積量を増し、穀類の排出により順次容積量が減少され、穀類容器内に収容した穀類が他の動力を用いることなく排出回収し得ることは認められるが、穀類の排出回収作用の進行に伴い穀類容器の周壁がたるんだままであることから、容器壁のシワの間に穀類が残り、この残留穀類を全て排出するために穀類容器に振動や揺動を与える手段を併用しないと完全な排出ができないという重大な課題が残されている。
【０００４】
本発明の課題は、穀類の排出とともに容積量が減じられる際に生ずる穀類容器のたるみを自動連続的に吸収消去させ、収容穀類を完全に流動排出することができる穀類搬送用容器を提供することにある。
【０００５】
【課題を解決するための手段】
本発明は、上記課題を解決するために、次のような手段を採用する。
【０００６】
上記課題は、立方体形状に枠組みされた支持枠の内側に、上部開口の周辺が支持枠に支持された可撓性材料よりなる穀類容器を吊設し、この穀類容器を構成する前壁下半部に漏斗構造をした先端に排出口をもつ排出部材を設け、一方、穀類容器の下底部を、前端縁部が支持枠に上下回動可能に軸支され、かつ、穀類容器内に投入される穀類の重量により順次下降変位して穀類の収容容積を増し、穀類の排出回収作業により順次上昇変位して穀類の容積量を減じるべく常に上昇付勢された底部昇降手段上に乗載せしめた穀類搬送用容器において、穀類容器の底部昇降手段の後部に、穀類容器の底部上昇により生ずる少なくとも穀類容器後壁のたるみを吸収消去する突き上げ手段を設けたことにより達成される。
【０００７】
上記課題は、請求項２のように、請求項１記載の穀類搬送用容器において、穀類容器を構成する後壁下部を穀類容器の底部昇降手段の後端部に設けた枠杆に連結し、空袋時における後壁の変形形崩れ及び穀類投入時における底壁のズレ落ちを防止せしめるようにしたことにより達成される。
【０００８】
上記課題は、請求項３のように、請求項１又は２記載の穀類搬送用容器において、漏斗構造をした排出部材の穀類排出流動基部を、穀類容器の前壁下半部略全域にわたって形成するとともに、排出部材を比較的長大に構成して折りたたみ格納可能とし、一方、支持枠の前部に、穀類の回収搬送時に折りたたみ姿勢の排出部材を維持し、穀類の排出時に排出部材の下向き排出姿勢を維持するガイド板を起伏可能に設けたことにより達成される。
【０００９】
上記課題は、請求項４のように、請求項１〜３の何れかに記載の穀類搬送用容器において、穀類容器を構成する少なくとも両側壁及び前壁上半部全域を、収容穀類の通過を許さないメッシュ構造としたことにより達成される。
【００１０】
【発明の実施の形態】
次に、図面に基づいて本発明穀類搬送用容器の実施の形態の詳細を説明する。
【００１１】
図１〜４について実施の形態（１）を説明すると、１は、立方体形状に枠組みされた支持枠で、この支持枠１は、上下の方形枠１ａ，１ｂと、これの四隅間に設けられた垂直枠杆１ｃと、この垂直枠杆１ｃの中途部に横架した補強用の水平枠杆１ｄ及び支持枠１の両側中途部に横架した底板受け用の傾斜枠杆１ｅによって構成されている。
【００１２】
２は、前記支持枠１を構成する上方の方形枠１ａに上部開口の周縁が連結支持されるとともに、支持枠１の内側に適合する大きさをもつ可撓性材料からなる穀類容器である。この穀類容器２を構成する前壁下半部には、漏斗構造をした比較的長大で先端に排出口３ａを有する排出部材３が折りたたみ可能に設けられている。この排出部材３の基部、詳しくは、穀類の排出流動基部は前壁下半部の略全域に構成され、穀類が停滞することなく流動排出されるように構成してある。又排出部材３の先端排出口３ａの周囲には開閉用の絞めロープ４を設け、排出口３ａが巾着袋のように開閉しうるように構成されている。
【００１３】
支持枠１の両側中途部に設けた傾斜枠杆１ｅは、図２のように前方が下向き傾斜している。この傾斜枠杆１ｅの前端上部近傍又は垂直枠杆１ｃに、穀類容器２の底部を乗載支持する底板５の前端が軸支されるとともに、この底板５の両側縁部が傾斜枠杆１ｅ上に乗載支持されるように構成せしめ、穀類容器２の底部が、満タン時に傾斜姿勢の底板５に適合し乗載されるるように穀類容器２は構成されている。
【００１４】
底板５の傾斜上端、詳しくは、底板５の後端部に、穀類容器２の満タン時の姿勢、即ち、図２で示す姿勢時に穀類容器２の後壁の外側方に向け上向き傾斜し、図４で示す穀類の払い出し空袋時に略垂直姿勢となり、而も正面形状が下向きコ字形をした突き上げ枠杆６を設けたものである。ちなみに、底板５に対する突き上げ枠杆６の高さは、穀類容器２の後壁高さの約１／２程度とすることが望ましい。
【００１５】
又、底板５の後端部に、突き上げ枠杆６より背低で、而も外側方に向け上向き傾斜した下向きコ字形の枠杆７を設け、この枠杆７に穀類容器２の後壁下辺部を略全長にわたって連結し、穀類容器２の空袋時に後壁部の変形形崩れを防止し、かつ、穀類収納時に穀類容器２の底部が底板５の傾斜にそってズレ落ち変位するのを規制し、空袋時における穀類容器２を立方形状に保持して穀類の収納，排出が円滑に行えるようにしたものである。
【００１６】
底板５の下面外周及び中間部の適当個所に補強用の型鋼５ａを設け、底板５の左右側に配設した型鋼５ａの比較的後部と、支持枠１を構成する前記上方の方形枠１ａの比較的前部に夫々フック部材８，９を設け、このフック部材８，９間に所要の弾力性を有するスパイラル発条１０を弾装したものである。又、特に図示してないが、フック部材８，９を適当間隔を介して複数個設け、この何れかのフック部材８，９間にスパイラル発条１０を選択的に弾装することにより、底板５に所望の上昇付勢作用力を付与することができる。即ち、満タン時に図２の穀類容器姿勢が、払い出し空袋時に図４で示す穀類容器姿勢が得られるようにし、穀類の種類，早刈り，遅刈り又は含水率の大小により重量が変化するときに、スパイラル発条１０の弾力が任意に調整選択しうるようにすることが望ましい。
【００１７】
穀類容器２の前壁部に設けた排出部材３は、次のように構成されている。即ち、穀類容器２を構成する前壁の中央部を支持枠１に設けた水平枠杆１ｄに連結するとともに、この水平枠杆１ｄより下方の前壁下半部全域に、前壁，左右側壁及び底壁の延長壁により先細で、かつ、漏斗構造の前記排出部材３を折りたたみ可能に構成したものである。
【００１８】
前記排出部材３に対応する支持枠杆１の前部には、下端を水平枠杆１ｄに起伏可能に軸支したガイド板１１が設けられている。そして、前記水平枠杆１ｄの中央部には、排出部材３を折りたたみ格納姿勢で維持するとともに、ガイド板１１を起立姿勢でロックするハンドルストッパー１２が設けてある。尚、ガイド板１１の長さは、ガイド板１１の軸支点と支持枠１の接地面とを結ぶ距離より長尺とし、図１，図４に示すように、例えば穀類をピット構造の回収設備や穀類乾燥機の昇降機ホッパーに排出導入する時に、ガイド板１１の遊動端が運搬車の荷台面又は基礎面に接して下向き斜め姿勢を保持し、この上に排出部材３が乗載支持されて穀類の流動排出が円滑に行われるようにしたものである。又、図４に示すように、底板５が最上段に傾いた時、詳しくは穀類の排出終了に近づいた時に、底板５とガイド板１１の上面が略同一平面となるようにガイド板１１の長さを決定することが望ましい。
【００１９】
図５について、実施の形態（２）を説明すると、穀類容器２を構成する両側壁及び前壁上半部全域を、収容穀類の通過を許さないメッシュ構造としたもので、通気性により収容穀類のムレなどを防止するとともに、穀類容器２に回収収納するときの穀類の収納状態を外部から視知し、収納ムラなどが生じた場合にコンバインを移動調整し、均一な穀類の収納がなしうるようにしたものである。
【００２０】
【発明の効果】
上述のように本発明の構成によれば、次のような効果が得られる。
（ａ）スパイラル発条の作用により、穀類容器内に収容される穀類の重量で穀類容器が順次下降変位して容積量を増し、穀類の排出により順次容積量が減少され、穀類容器の底部の上昇によりに収容された穀類が他の動力を用いることなく自動的に排出回収し得ることは勿論のこと、
（ｂ）請求項１として、（ａ）項の効果に加え、穀類容器の底部昇降手段の後部に突き上げ手段を設けたことにより、穀類容器の底部上昇により生ずる少なくとも穀類容器の後壁のたるみを吸収消去することができる。
（ｃ）請求項２として、上記効果に加え、空袋時における穀類容器の後壁の変形形崩れ及び穀類投入時における底壁のズレ落ちを防止し、穀類回収効率の向上が図れる。
（ｄ）請求項３として、上記効果に加え、穀類の収納時及び搬送時に、折りたたまれた排出部材の姿勢を起立姿勢のガイド板によって維持するとともに、穀類の排出回収時に排出部材の下向き排出姿勢を維持し、搬送及び排出回収効率の向上を図ることができる。
（ｅ）請求項４として、上記効果に加え、収納時における穀類の集積状態が外部から視認でき、コンバインなどの移動調整により均等な穀類投入がなしうるなど作業の合理化が図れる。
【図面の簡単な説明】
【図１】  穀類の排出状態を示す実施の形態（１）の斜視図である。
【図２】  穀類の満タン状態における縦断側面図である。
【図３】  図２の縦断正面図である。
【図４】  図１の穀類が入っていない状態の縦断側面図である。
【図５】  実施の形態（２）における穀類の排出状態を示す本発明の斜視図である。
【図１】
0003956002.tif 000002
【図２】
0003956002.tif 000003
【図３】
0003956002.tif 000004
【図４】
0003956002.tif 000005
【図５】
0003956002.tif 000006